【手続補正書】
【提出日】平成22年9月8日(2010.9.8)
【手続補正１】
【補正対象書類名】明細書
【補正対象項目名】００２５
【補正方法】変更
【補正の内容】
【００２５】
【図１Ａ】往復動鋸刃の反復歯パターンの一実施形態の側面立面図である。
【図１Ｂ】図１Ａの反復歯パターンの上部平面図である。
【図２Ａ】往復動鋸刃の反復歯パターンの別の実施形態の側面立面図である。
【図２Ｂ】図２Ａの反復歯パターンの上部平面図である。
【図３Ａ】往復動鋸刃の反復歯パターンの別の実施形態の側面立面図である。
【図３Ｂ】図３Ａの反復歯パターンの別の実施形態の上部平面図である。
【図４】往復動鋸刃の反復歯パターンの別の実施形態の側面立面図である。
【図５】往復動鋸刃の反復歯パターンの別の実施形態の側面立面図である。
【図６】往復動鋸刃が往復動鋸のチャック内に設置された状態の部分側面立面図である。
【図７】先行技術の往復動鋸刃と比較した場合の、本発明の往復動鋸刃の一実施形態の試験結果を示す表である。
【図８】先行技術の往復動鋸刃と比較した場合の、本発明の往復動鋸刃の実施形態の試験結果を示す表である。
【図９】波形パターンを形成する非一定の歯の高さおよび／または歯振り（ｔｏｏｔｈ  ｓｅｔ）を有する往復動鋸刃の別の実施形態の側面立面図である。
【図１０】波形パターンを形成する別の非一定の歯の高さおよび／または歯振りを有する往復動鋸刃の別の実施形態の側面立面図である。
【図１１】波形パターンを形成する別の非一定の歯の高さおよび／または歯振りを有する往復動鋸刃の別の実施形態の側面立面図である。
【図１２】複数の後左アサリ歯または複数の後右アサリ歯が交互に後に続く非アサリかき歯を有する往復動鋸刃の別の実施形態の側面立面図である。
【図１３】非一定ピッチパターンを画成する往復動鋸刃の別の実施形態の側面立面図である。
【図１４】別の非一定ピッチパターンを画成する往復動鋸刃の別の実施形態の側面立面図である。
【図１５】非一定の高さ、逃げおよび振出しの大きさを画成する往復動鋸刃の別の実施形態の部分側面立面図である。
【手続補正２】
【補正対象書類名】明細書
【補正対象項目名】００３３
【補正方法】変更
【補正の内容】
【００３３】
図１Ａにおいて図示されるように、高い非アサリ歯１１０はそれぞれ、第１の一次逃げ角「Ａ」を画定する一次逃げ面を有し、低いアサリ歯１１５Ｒ、１１５Ｌはそれぞれ、第２の二次的な逃げ角「Ｂ」を画定する一次逃げ面を有する。非アサリ歯１１０とアサリ歯１１５はそれぞれ、逃げ角ＡまたはＢを画定する各一次逃げ面と、凹部との間に延びる二次逃げ面を有する。二次逃げ面はそれぞれ、二次逃げ角「Ｃ」を画定する。本発明の図示される実施形態においては、高い非アサリ歯の第１の逃げ角Ａは、好ましくは約３５°未満であり、より好ましくは約２５°から約３５°の範囲内であり、最も好ましくは約２８°から約３３°の範囲内である。図１Ａおよび図１Ｂの実施形態においては、第１の逃げ角Ａは、約３０°である。さらに、本発明の図示される実施形態においては、第２の逃げ角Ｂは、好ましくは約３５°を上回り、より好ましくは約３５°から約４５°の範囲内であり、最も好ましくは約３８°から約４３°の範囲内である。図１Ａおよび図１Ｂの実施形態においては、低いアサリ歯の第２の逃げ角Ｂは、約４０°である。二次逃げ角（以降、第３の逃げ角と記す）Ｃは、第１の逃げ角Ａまたは第２の逃げ角Ｂより大きいことが好ましい。図１Ａおよび図１Ｂの実施形態においては、第３の逃げ角Ｃは、約４５°である。さらに、本発明の実施形態においては、低いアサリ歯の第３の逃げ角Ｃは、高いアサリ歯の第３の逃げ角Ｃより大きい。これらの逃げ角および範囲は、図１Ａおよび図１Ｂの実施形態を参照として説明されるが、本明細書において開示される本発明の他の実施形態に対しても同様に適用し得る。さらに、本明細書の教示に基づいて当業者には理解されるであろうが、本明細書において説明される特定の高さの差および逃げ角は、例示のものにすぎず、多数の他の高さの差、逃げ角、およびそれらの組合せを、切断されることとなる材料、所望の切断速度、および／または刃の所望の摩耗寿命などの、多数の種々の要素のいずれかに応じて、同様に採用することができる。さらに、要望に応じて、高歯および低歯が、同一の逃げ角を有してよく、高い方の歯が、非一定の逃げ角を有してよく、および／または低い方の歯が、非一定の逃げ角を有してよい。
【手続補正３】
【補正対象書類名】明細書
【補正対象項目名】００８０
【補正方法】変更
【補正の内容】
【００８０】
図１３に進むと、本発明を使用する別の往復動鋸刃が、参照番号１１００によって全体的に示される。往復動鋸刃１１００は、図１から図１２に関連して上述した往復動鋸刃と実質的に類似のものであり、したがって、数字「１」から「１０」の代わりに数字「１１」が先行する同様の参照番号が、同様の要素を示すために使用される。上述のレシプ鋸刃と比較した場合におけるレシプ鋸刃１１００の主な相違点は、レシプ鋸刃１１００が、非一定ピッチパターンを画定することである。さらに具体的には、レシプ鋸刃１１００は、非一定ピッチの三歯アサリパターンを画定し、この非一定ピッチの三歯アサリパターンは、第１の比較的高い非アサリ歯１１１０と、それに続く低い後左アサリ歯１１１５Ｌおよび低い後右アサリ歯１１１５Ｒとを含む。歯の振出し前における高歯と低歯との間のΔＨは、少なくとも約０．００２インチであり、図示される実施形態においては、約０．００３インチである。高歯の第１の逃げ角Ａは、低歯の第２の逃げ角Ｂを下回る。図示される実施形態においては、高歯の第１の逃げ角Ａは、約３０°であり、低歯の第２の逃げ角Ｂは、約４０°である。上述した歯の形状と同様に、各歯１１１０，１１１５には、第１の逃げ角Ａまたは第２の逃げ角Ｂを形成する一次逃げ面と、第３の逃げ角Ｃを形成する二次逃げ面とが画成される。既にそれぞれ示したように、各第３の逃げ角Ｃは、各一次逃げ角ＡまたはＢよりも大きいことが好ましい。図示される実施形態においては、第１の逃げ角Ａは、約３０°であり、第２に逃げ角Ｂは、約４０°であり、第３の逃げ角Ｃは、約４５°である。分かるように、各非アサリ歯１１１０の第１のピッチＰ１は、比較的粗いピッチであり、後歯１１１５Ｌ、１１１５Ｒの第２のピッチＰ２は、比較的細かいピッチである。図示される実施形態においては、第１のピッチＰ１は、１０ピッチであり、第２のピッチＰ２は、１４ピッチであり、したがって、レシプ刃１１００は、１０／１４の反復ピッチパターンを画成する。本発明の教示に基づいて当業者には理解されるであろうが、これらの特定の高さの差、逃げ角、およびピッチは、例示のものにすぎず、現時点において周知である、もしくは後に周知となる、多数の様々な高さの差、逃げ角、ピッチ、および／またはピッチパターンのうちのいずれか、および／または多数の様々な非一定のピッチパターンのうちのいずれかを、同様に採用することができる。
【手続補正４】
【補正対象書類名】明細書
【補正対象項目名】００８２
【補正方法】変更
【補正の内容】
【００８２】
図１４に進むと、本発明を使用する別の往復動鋸刃が、参照番号１２００によって全体的に示される。往復動鋸刃１２００は、図１３に関連して上述した往復動鋸刃と実質的に類似のものであり、したがって、数字「１１」の代わりに数字「１２」が先行する同様の参照番号が、同様の要素を示すために使用される。上述のレシプ鋸刃１１００と比較した場合におけるレシプ鋸刃１２００の主な相違点は、レシプ鋸刃１２００が、三歯非一定ピッチパターンを有する六歯アサリパターンを画成することである。分かるように、六歯アサリパターンは、第１の高い前非アサリ歯１２１０およびそれに続く２つの低い後左アサリ歯１２１５と、第２の高い前非アサリ歯１２１０およびそれに続く２つの低い後右アサリ歯１２１５とによって、画定される。分かるように、レシプ鋸刃１２００は、波形様アサリパターンを画成する。他の点においては、レシプ鋸刃１２００は、図１３に関連して上述したレシプ鋸刃１１００と同一の、ΔＨ、逃げ角、およびピッチ（すなわち１０／１４の反復ピッチパターン）を画定する。
図１５においては、本発明を使用する別の往復動鋸刃が、参照番号１３００によって全体的に示される。往復動鋸刃１３００は、図１−１３に関連して上述した往復動鋸刃と実質的に類似のものであり、したがって、数字「１３」が先行する同様の参照番号が、または他の数字の代わりに数字「１３」が先行する同様の参照番号が、同様の要素を示すために使用される。上述のレシプ鋸刃と比較した場合におけるレシプ鋸刃１３００の主な相違点は、レシプ鋸刃１３００が、非一定の高さ、非一定の逃げ角および非一定の振出し大きさの大きさを画定することである。さらに具体的には、レシプ鋸刃１３００の反復する歯パターンが、比較的高い非アサリ歯１３１０と、これに続く比較的低い重度右アサリ歯１３１５Ｒと、これに続く比較的高い軽度左アサリ歯１３２０Ｌと、これに続く比較的高い軽度右アサリ歯１３２０Ｒと、および、これに続く比較的低い重度左アサリ歯１３１５Ｌとを有する。図示される実施形態においては、比較的高い歯１３１０，１３２０Ｌ，１３２０Ｒと、比較的低い歯１３１５Ｒ，１３１５Ｌとの間には高さΔＨの差がある。